(57)【要約】【課題】電子機器が非使用状態の時に電源電圧を低下させることによって非使用状態における消費電力を低下させることを目的とする。【解決手段】状態保持機能の無い電源スイッチと、動作状態または非動作状態である事を外部に知らせる機能を持った制御回路と、前記制御回路にて示された状態よって異なる電圧の電力を供給する機能を持った電源回路にて構成される。【選択図】        図１
2005025583.tif 000002
【特許請求の範囲】
【請求項１】
電源回路とそれに接続される制御回路および電源スイッチにて構成される電子機器において、前記制御回路は動作状態、非動作状態の２つの状態を持ち、前記非動作状態の場合は電源電圧が前記動作状態における第１の電圧より低い第２の電圧にて情報の保持が可能で、かつ現在の状態が前記動作状態、または前記非動作状態のどちらであるかを示す状態通知機能、および制御回路の状態の変更を開始するための前記電源スイッチからの指示を受け付ける機能を持つ。また前記電源回路は前記制御回路の動作状態、非動作状態に対応した前記第１の電圧および前記第２の電圧を出力する機能を持ち、前記制御回路からの前記状態通知機能によって通知された前記制御回路の状態に対応する前記第１の電圧または前記第２の電圧を出力する事を特徴とする前記電子機器における電源電圧制御方式。
【発明の詳細な説明】
【０００１】
【発明の属する技術分野】
電子機器が動作状態および非動作状態相互に移行する際に使用される電源回路の制御方法に関するものである。
【０００２】
【従来の技術】
現在の電子機器は複雑な処理を行うものが多く、電源のＯＮ−ＯＦＦを行う際に手順に従って処理を行い、電子機器を非動作状態に移行させる必要のあるものが多い。このような電子機器の場合に、従来は電子機器を非動作状態に移行させた後でも、電源は動作を止めず電子機器内の制御回路に電力を供給しつづける方法が取られていた。この場合、制御方法は簡単になるが、非動作状態での消費電力は比較的大きくなってしまっていた。
【０００３】
また、従来行われていた方法として電源スイッチにロック式スイッチ等の状態を保持できる種類のスイッチを用いスイッチが非動作状態に変化した場合は電子機器を非動作状態に移行させた後、電源の出力を停止させる方法があるが、この方法の場合非動作状態における消費電力は十分に低く出来るが、ロック式スイッチを使用する必要があり、価格の上昇と、電源スイッチが電子機器に取り付けられた他のスイッチと操作方法が異なるといった問題があった。
【０００４】
【特許文献１】
特開平７−８１１８６号公報
【０００５】
【発明が解決しようとする課題】
しかしながら、従来技術のように、
電源スイッチにて電子機器の状態を動作状態、非動作状態に切り替えるためには、スイッチの状態を保持できるロック式のスイッチを使用する必要があり小型化、低価格化を進めるための障害となっている。一方電子機器内で機器の状態を示す情報を保持する方法を取ると、タクトスイッチ等の安価で小型のスイッチを使用できる反面、非動作状態における電子機器の消費電力を低下させることが難しかった。
【０００６】
【課題を解決するための手段】
状態保持機構を持たない電源スイッチ、電子機器の動作状態、非動作状態を示す信号を出力する機能を持った制御回路、出力電圧を制御回路が動作状態用の電圧と、制御回路が非動作状態用の電圧に変更可能な電源回路にて電子機器を構成し、電子機器が動作状態の時に、制御回路が電源スイッチにて非動作状態へ移行するように指示された場合、制御回路が非動作状態に移行した後、非動作状態である事を電源回路に伝え、制御回路が非動作状態であることを伝えられた電源回路は電子機器が非動作の場合のために事前に指定された電圧を出力する。また電子機器が非動作状態にある時に、制御回路が電源スイッチにて動作状態へ移行するように指示された場合、制御回路が動作状態に移行する事を電源回路に伝え、電源回路が動作状態のために事前に指定された電圧を出力し、その後制御回路は動作状態へと移行する。
【０００７】
以上の手段と、手順により状態保持機構を持たない電源スイッチを用いても電子機器が非動作状態にある場合に消費電力の少ない電子機器を実現出来る。
【０００８】
【発明の実施の形態】
図１は本発明を使用した電子機器の構成図である。図１中１は電子機器が動作状態の場合の出力電圧と、電子機器が非動作状態の場合の出力電圧との２つの電圧を出力可能で、かつ外部からの信号により出力電圧を変更可能な電源回路、２は電子機器内の制御回路で、電力源には動作状態にて使用する第１の電圧以外に、非動作状態にて使用する第１の電圧より低い第２の電圧が使用可能で、第２の電圧にて非使用状態にあるという情報の保持が可能な制御回路、３は電子機器の状態を動作状態から非動作状態、または非動作状態から動作状態に移行させるための電源スイッチ、４は電子機器が動作状態の時に電源回路１が出力する第１の電圧の基準となる＋５Ｖ基準電圧、５は電子機器が非動作状態の時に電源回路１が出力する第２の電圧の基準となる＋１Ｖ基準電圧、６は＋５Ｖ基準電圧４または＋１Ｖ基準電圧５のどちらを電源回路１の出力電圧の基準にするかを選択する基準電圧セレクタ、７は制御回路から電源回路に現在の電子機器の状態を知らせる動作状態指定信号、８は電源回路から制御回路に供給される電源供給線である。
【０００９】
【実施例】
また図２は本実施例の電子機器の動作状態を移行する様子を説明した状態遷移図である。
【００１０】
まず電子機器が動作状態から非動作状態に遷移する様子を、図１、図２を用いて説明する。
【００１１】
電子機器が動作状態にある時、制御回路２は＋５Ｖの電源電圧を必要とするため動作状態指定信号７にて動作状態であることを基準電圧セレクタ６に知らせる。制御回路２が動作状態であると知らされた基準電圧セレクタ６は＋５Ｖ基準電圧を選択し、＋５Ｖ電圧を出力することで電源回路１に出力電圧として＋５Ｖを出力するように指示を送る。すると電源回路１は制御回路２に対して＋５Ｖの電力を供給し、電子機器は安定に動作を行っている。この状態の時、電子機器は図２中のＳ１０１で動作状態になっており、Ｓ１０２で電源スイッチ３が押されず「Ｎｏ」の判定がなされ再びＳ１０１に戻る動作を繰り返している。この時電源スイッチ３を押されると、Ｓ１０２にて「Ｙｅｓ」と判定され、Ｓ１０３に移行する。Ｓ１０３では電子機器が動作状態から非動作状態に遷移するための処理を制御回路２が行う。制御回路２による非使用状態への状態遷移が完了するとＳ１０４へ移行し、制御回路２は動作状態指定信号７を使って基準電圧セレクタ６に非動作状態に遷移したことを伝える。次にＳ１０５に移行する。Ｓ１０５では動作状態指定信号７によって制御回路２が非動作状態に遷移し終わった事を基準電圧セレクタ６が知り、＋１Ｖ基準電圧５を選択し＋１Ｖ電圧を出力することで電源回路１に出力電圧として＋１Ｖを出力するように指示を送る。すると電源回路１は制御回路２に対して＋１Ｖの電力を供給する。以上の処理の後、非動作状態であるＳ１０６に移行し制御回路２の消費電力が低下する。以上の動作を行うことで、電子機器は動作状態から非動作状態へと移行する。
【００１２】
次に電子機器が非動作状態から動作状態に移行する様子を図１、図２を用いて説明する。
【００１３】
電子機器が非動作状態にある場合に制御回路２は動作状態指定信号７にて基準電圧セレクタ６に非動作状態である事を知らせている。このため基準電圧セレクタ６は＋１Ｖ基準電圧５を選択しており、この結果電源回路１は制御回路２に対して＋１Ｖの電力を供給している。また非動作状態の場合Ｓ１０７にて電源スイッチ３が押されないかを判定し押されないと「Ｎｏ」と判定しＳ１０６へ移行する処理を繰り返している。ここで電子機器が動作状態に遷移するために電源スイッチ３が押されると、Ｓ１０７にて制御回路２が「Ｙｅｓ」と判定しＳ１０８へ移行する。Ｓ１０８では制御回路２は動作状態指定信号７を用いて基準電圧セレクタ６に動作状態に遷移することを知らせる。次にＳ１０９へ移行し動作状態指定信号７にて指定されたように電源回路１の出力電圧を動作状態用の＋５Ｖに変更するために、基準電圧セレクタ６が動作状態用の＋５Ｖ基準電圧４を選択し＋５Ｖを出力することで、電源回路１は電力供給線８を用いて＋５Ｖの電力を制御回路２に供給するようになる。その後Ｓ１１０に移行し制御回路２は動作状態に遷移するための処理を行う。その後Ｓ１０１へ移行し電子機器は動作状態への遷移が完了する。
【００１４】
以上説明したように制御回路が動作状態、非動作状態を示す信号を出力し、この信号を基に電子機器が非動作状態に移行した場合、電源回路が出力する電力の電圧値を低下させ、電子機器が非動作状態の時の消費電力を低下させることが可能となる。
【００１５】
また本実施例では動作状態用の電力として、＋５Ｖ、非動作状態用の電力として＋１Ｖを使用しているが、これらは制御回路の特性に合わせて任意の電圧を使用可能である。
【００１６】
【発明の効果】
電源スイッチにプッシュスイッチ等、非ロック式のスイッチを用いた場合でも、電子機器が非動作状態での消費電力を小さくすることが可能となる。
【００１７】
また本発明を使用した場合、電子機器が非動作状態にある時も少ない電力で情報を保持することが可能となる。
【図面の簡単な説明】
【図１】実施例の構成図
【図２】実施例の動作を表した状態遷移図
【符号の説明】
１  実施例の電源回路
２  実施例の制御回路
３  実施例の電源スイッチ
４  実施例の＋５Ｖ基準電圧
５  実施例の＋１Ｖ基準電圧
６  実施例の基準電圧セレクタ
７  実施例の動作状態指定信号
８  実施例の電力供給線
【図１】
2005025583.tif 000003
【図２】
2005025583.tif 000004